(57)【要約】      （修正有）【課題】製品のプレイ中に製品の上部にある液体を頻繁に拭く必要がなく、液体が内部にしみ込むことを心配する必要がなく、誤操作によって輸送パイプが切れることを避けることができ、ノズルへのバブル液の流入量を制御し、バブル液の利用率を大幅に向上させ、ノズルへの液溜まりを低減し、使用時のバブル液のロスを低減し、バブルがスムーズに吹き出され、とても面白く、非常に実用的であるバブルマシンを提供する。【解決手段】新型バブルマシンは、ハウジングを含み、ハウジング内にバブルマシンインテグレーションモジュールが固定され、バブルマシンインテグレーションモジュールのバブル排出端にノズルベース７が固定接続され、ノズルベースの上端がハウジングの外側に延び、ノズルとニードル８が設けられ、ノズルベースにノズルハウジング４が設けられ、ノズルベースの両側に進水パイプおよび排水パイプが設けられ、液体貯留ボックス内にバブル液をノズルに送るための輸送パイプが設けられ、下部輸送パイプを２段構造に分ける。【選択図】図３
0003230127.tif 000002
【実用新案登録請求の範囲】
【請求項１】
新型バブルマシンであって、ハウジングを含み、ハウジング内にバブルマシンインテグレーションモジュールが固定され、バブルマシンインテグレーションモジュールのバブル排出端にノズルベース（7）が固定接続され、ノズルベース（7）の上端がハウジングの外側に延びてかつノズルおよびニードル（8）が設けられ、ノズルベース（7）上部カバーにノズルハウジング（4）が設けられ、ハウジングに当該バブルマシンを飾るためのLEDランプ（２）が設けられ、LEDランプ（２）上部カバーに小さなシリコンリング（3）が設けられ、ノズルハウジング（4）上部カバーに大きなシリコンリング（5）が設けられ、ノズルベース（7）の両側に進水パイプおよび排水パイプが設けられ、液体貯留ボックス内にバブル液をノズルに送るための輸送パイプが設けられ、前記輸送パイプが上部輸送パイプ（13）と下部輸送パイプ（14）が設けられる、ことを特徴とする新型バブルマシン。
【請求項２】
前記ハウジングは第１筐体（１）と第２筐体（６）を接合して組み合わせて形成されることを特徴とする、請求項１に記載の新型バブルマシン。
【請求項３】
前記ノズル筐体（４）の上部にシーリングシートがかぶせられて固定されることを特徴とする、請求項１に記載の新型バブルマシン。
【請求項４】
前記小さなシリコンリング（３）および大きなシリコンリング（５）がいずれもハウジングに配置され、ハウジングの内壁に当接することを特徴とする、請求項１から３のいずれか１項に記載の新型バブルマシン。
【請求項５】
上部輸送パイプ（１３）の内径が１．５ｍｍであり、下部輸送パイプ（１４）の内径が２ｍｍであることを特徴とする、請求項１に記載の新型バブルマシン。
【請求項６】
前記下部輸送パイプ（１４）がインナーパイプ（１７）および露出パイプ（１８）を含み、インナーパイプ（１７）が上部輸送パイプ（１３）に接続され、インナーパイプ（17）と露出パイプ（18）が双方向接続パイプ（16）によって接続され、双方向接続パイプ（16）が液体貯留ボックスの蓋（15）に固定して取り付けられ、露出パイプ（18）が液体貯留ボックス内まで延びることを特徴とする、請求項１に記載の新型バブルマシン。
【考案の詳細な説明】
【技術分野】
【０００１】
この考案は、子供のおもちゃの技術分野に関し、具体的に新型バブルマシンである。
【背景技術】
【０００２】
子供のおもちゃは、特に子供の遊びに使う品物を指し、おもちゃは、子供が想像や思考などの心理的プロセスを行動に変えるための支えであり、運動能力を発達させ、意識を訓練し、想像をかきたて、好奇心を高め、子供の心身の発達に物質的な条件を提供でき、子供のおもちゃの種類には、主にイメージおもちゃ、技術的なおもちゃ、接合および組立おもちゃ、建物および構造おもちゃ、スポーツ活動おもちゃ、音楽発声おもちゃ、労働活動おもちゃ、装飾用おもちゃ、自家製おもちゃなどがあり、 おもちゃに対する一般的な教育要件は次のとおりである。
【０００３】
子供の身体的、道徳的、知的、審美的包括的な発達を促進することに役に立ち、子供の年齢特徴を満たし、その好奇心、活発性、探索活動の願望を満足させ、物事の典型的な特徴を反映することができる。動きがよく変わり、学習の促進に役立つ。衛生要件を満たし、色が無毒で、清掃および消毒しやすく、安全要件などを満たす。
【０００４】
バブルマシンは子供たちに人気のあるおもちゃの１つであり、ただし、既存のバブルマシンには次の欠点がある。（1）製品を長期間使用すると、バブルが製品の上部にあるバブル排出口に溜まりやすいため、バブル液体が製品の外面部を介して製品の内部にしみ込む。（2）バブルスティックは、垂直でない方向に使う時にバブルが吹き出されない現象が発生しやすい。
【０００５】
（3）バブルマシンの下部輸送パイプが緩んだ状態であり、合理的に予測可能な引張り力に耐えることができず、引かれたら壊れたり折れたりしやすい。（4）輸送パイプを介してバブル吹き出しノズルに送られるバブル液の量がバブルマシンのバブル吹き出し能力を超えると、バブル液のロスが多すぎ、通常のバブル吹き出し効果にも影響する。したがって、この考案では、上記の問題を解決するための新型バブルマシンを提案する。
【考案の概要】
【考案が解決しようとする課題】
【０００６】
この考案の実施例の目的は、上記の問題を解決するための新型バブルマシンを提供することである。
【課題を解決するための手段】
【０００７】
上記の目的を達成するために、この考案は次の技術的プランを提供する。
新型バブルマシンであって、ハウジングを含み、ハウジング内にバブルマシンインテグレーションモジュールが固定され、バブルマシンインテグレーションモジュールのバブル排出端にノズルベースが固定接続され、ノズルベースの上端がハウジングの外側に延びてかつノズルおよびニードルが設けられ、ノズルベースの上部カバーにノズルハウジングが設けられ、ハウジングに当該バブルマシンを飾るためのLEDランプが設けられ、LEDランプ上部カバーに小さなシリコンリングが設けられ、ノズルハウジング上部カバーに大きなシリコンリングが設けられ、ノズルベースの両側に進水パイプおよび排水パイプが設けられ、液体貯留ボックス内にバブル液をノズルに送るための輸送パイプが設けられ、前記輸送パイプが上部輸送パイプと下部輸送パイプに分けられる。
【０００８】
１種のオプショナルプランにおいて：前記ハウジングは第１筐体と第２筐体を接合して組み合わせて形成される。
【０００９】
１種のオプショナルプランにおいて：前記ノズル筐体の上部にシーリングシートがかぶせられて固定される。
【００１０】
１種のオプショナルプランにおいて：前記小さなシリコンリングおよび大きなシリコンリングがいずれもハウジングに配置され、ハウジングの内壁に当接する。
【００１１】
１種のオプショナルプランにおいて：前記上部輸送パイプの内径は1.5mmであり、下部輸送パイプの内径は2mmである。
【００１２】
１種のオプショナルプランにおいて：前記下部輸送パイプがインナーパイプおよび露出パイプを含み、インナーパイプが上部輸送パイプに接続され、インナーパイプと露出パイプが双方向接続パイプによって接続され、双方向接続パイプが液体貯留ボックスの蓋に固定して取り付けられ、露出パイプが液体貯留ボックス内まで延びる。
【００１３】
従来技術に比べ、本考案の実施例の有益な効果は以下の通りである。
1、当該バブルマシンは、製品のプレイ中に製品の上部にある液体を頻繁に拭く必要がなく、液体が内部にしみ込むことを心配する必要がなく、下部の輸送パイプを２段構造に分けるため、その引張強度を大幅に向上させ、誤操作によって輸送パイプが切れることを避けることができ、その内径の違いによってノズルへのバブル液の流入量を制御し、バブル液の利用率を大幅に向上させ、ノズルへの液溜まりを低減し、使用時のバブル液のロスを低減し、バブルがスムーズに吹き出され、とても面白く、当該バブルマシーンが垂直でない方向であっても、通常のバブル吹き出し機能にも影響せず、当該製品の操作性とゲームプレイを大幅に向上させ、非常に実用的である。
【図面の簡単な説明】
【００１４】
【図１】この考案の第１実施例の外形図である。
【図２】この考案の第１実施例におけるハウジングの分解図である。
【図３】この考案の第１実施例におけるバブルマシンインテグレーションモジュールの構造見取り図である。
【図４】この考案の第１実施例におけるバブルマシンインテグレーションモジュールの分解図である。
【図５】この考案の第１実施例における輸送パイプの接続見取り図である。
【図６】この考案の第１実施例における下部輸送パイプの構造見取り図である。
【考案を実施するための形態】
【００１５】
この考案の目的、技術的プラン、および利点をより明確にするために、以下、図面および実施例と結びつけ、本考案をさらに詳細に説明する。ここに記載されている具体的な実施例がこの考案を説明するためにのみ使用され、この考案を限定するために使用されないことを理解すべきである。
【００１６】
実施例１
図１から図６を参照してください。この考案の実施例において、新型バブルマシンはハウジングを含み、前記ハウジングが第１筐体と第２筐体を接合して組み合わせて形成され、筐体に美しい模様が印刷され、ハウジング内にバブルマシンインテグレーションモジュールが固定される。バブルマシンインテグレーションモジュールには、バブル液を貯留するための液体貯留ボックス、バブルを吹き出す送風機構、および電力供給用乾電池などがあり、市販品と同じなのでここでは贅言しない。
【００１７】
バブルマシンインテグレーションモジュールのバブル排出端にノズルベース7が固定接続され、ノズルベース７の上端がハウジングの外側に延びてかつノズルおよびニードル８が設けられ、ノズルベース７上部カバーにノズルハウジング４が設けられ、ノズルハウジング４の上部にシーリングシート９がかぶせられて固定され、さらに、ハウジングには、当該バブルマシンを装飾するためのＬＥＤランプ２が設けられ、ＬＥＤランプ２がワイヤーを介してバブルマシンにおける乾電池に電気的に接続され、さらに、バブル液がハウジング上部に溜まり、ＬＥＤランプ２の穴位置やノズルベースの穴位置からバブルマシン内部にしみこむことを防ぐために、前記ＬＥＤランプ２に小さなシリコンリング３が設けられ、ノズルハウジング４に大きなシリコンリング５が設けられ、小さなシリコンリング３と大きなシリコンリング５がいずれもハウジング内に配置され、ハウジングの内壁に当接する。
【００１８】
ノズルベース7の両側に進水パイプと排水パイプが設けられ、製品が非垂直状態であっても、バブル液が進水口と排水口を流れるときにかならずノズルベース７を通過することにより、スムーズにバブルを吹き出すことを保証する。
【００１９】
液体貯留ボックス内には、バブル液をノズルに送るための輸送パイプが設けられ、前記輸送パイプは、上部輸送パイプ１３と下部輸送パイプ１４に分けられ、上部輸送パイプ１３の下部輸送パイプ１４から離れる一端がノズルに接続され、下部輸送パイプ１４がインナーパイプ１７と露出パイプ１８を含み、インナーパイプ１７が上部輸送パイプ１３に接続され、インナーパイプ１７と露出パイプ１８が双方向接続パイプ１６によって接続され、双方向接続パイプ16が液体貯留ボックスの蓋15に固定設置され、露出パイプ18が液体収納ボックス内に延びるように設計されているため、露出パイプ18の強度を向上させ、誤操作によって輸送パイプが切れることを避けることができる。
【００２０】
さらに、前記上部輸送パイプ１３の内径が１．５ｍｍであり、下部輸送パイプ１４の内径が２ｍｍであり、バブル液は、内径２ｍｍの下部輸送パイプ１４を介して、内径１．５ｍｍの上部輸送パイプ１３内に輸送されることにより、過剰なバブル液の供給を低減し、バブル吹き出し品質を向上させ、バブル液のロスを低減することができる。さらに、ハウジングには、当該バブルマシンの動作を制御するための操作ボタンが設けられる。
【００２１】
この考案の動作原理は次のとおりである。コントロールボタンを押してバブルマシンにバブルを吹き出させ、小さなシリコンリング3と大きなシリコンリング5が存在するため、ハウジングに溜まったバウル液が当該バブルマシンの内部にしみ込まず、進水パイプと排水パイプをノズルベース7の両側に設け、 製品が非垂直状態であっても、バブル液が進水口と排水口を流れるときにかならずノズルベース7を通過するため、ノズルがバブルをスムーズに吹き出すことができ、同時に、下部輸送パイプ14が2段構造に分けられ、双方向接続パイプ16によって接続することにより、その引張強度が効果的に向上することができる。
【００２２】
かつ、輸送パイプを内径の大きい下部輸送パイプ１４と内径の小さい上部輸送パイプ１３に分けることにより、バブル液の過剰な供給を抑え、バブル吹き出しの品質および効果を高め、バブル液のロスを低減することができる。
【００２３】
上記はこの考案の好ましい実施例にすぎず、この考案を限定することを意図したものではなく、この考案の精神および原則の範囲内で行われた変更、同等の交換、および改善は、この考案の保護の範囲内に含まれるべきである。
【符号の説明】
【００２４】
1-第１筐体、2-LEDランプ、3-小さなシリコンリング、4-ノズルハウジング、5-大きなシリコンリング、6- 第2筐体、7-ノズルベース、8-ニードル、9-シーリングシート、13-上部輸送パイプ、14-下部輸送パイプ、15-蓋、16-双方向接続パイプ、17-インナーパイプ、18-露出パイプ。
【図１】
0003230127.tif 000003
【図２】
0003230127.tif 000004
【図３】
0003230127.tif 000005
【図４】
0003230127.tif 000006
【図５】
0003230127.tif 000007
【図６】
0003230127.tif 000008
【手続補正書】
【提出日】令和2年10月27日(2020.10.27)
【手続補正１】
【補正対象書類名】実用新案登録請求の範囲
【補正対象項目名】全文
【補正方法】変更
【補正の内容】
【実用新案登録請求の範囲】
【請求項１】
新型バブルマシンであって、ハウジングを含み、ハウジング内にバブルマシンインテグレーションモジュールが固定され、バブルマシンインテグレーションモジュールには、液体貯留ボックスが接続され、バブルマシンインテグレーションモジュールのバブル排出端にノズルベース（7）が固定接続され、ノズルベース（7）の上端がハウジングの外側に延びてかつノズルおよびニードル（8）が設けられ、ノズルベース（7）上部カバーにノズルハウジング（4）が設けられ、ハウジングに当該バブルマシンを飾るためのLEDランプ（２）が設けられ、LEDランプ（２）上部カバーに小さなシリコンリング（3）が設けられ、ノズルハウジング（4）上部カバーに大きなシリコンリング（5）が設けられ、ノズルベース（7）の両側に進水パイプおよび排水パイプが設けられ、液体貯留ボックス内にバブル液をノズルに送るための輸送パイプが設けられ、前記輸送パイプが上部輸送パイプ（13）と下部輸送パイプ（14）が設けられる、ことを特徴とする新型バブルマシン。
【請求項２】
前記ハウジングは第１筐体（１）と第２筐体（６）を接合して組み合わせて形成されることを特徴とする、請求項１に記載の新型バブルマシン。
【請求項３】
前記ノズルハウジング（４）の上部にシーリングシートがかぶせられて固定されることを特徴とする、請求項１に記載の新型バブルマシン。
【請求項４】
前記小さなシリコンリング（３）および大きなシリコンリング（５）がいずれもハウジングに配置され、ハウジングの内壁に当接することを特徴とする、請求項１から３のいずれか１項に記載の新型バブルマシン。
【請求項５】
上部輸送パイプ（１３）の内径が１．５ｍｍであり、下部輸送パイプ（１４）の内径が２ｍｍであることを特徴とする、請求項１に記載の新型バブルマシン。
【請求項６】
前記下部輸送パイプ（１４）がインナーパイプ（１７）および露出パイプ（１８）を含み、インナーパイプ（１７）が上部輸送パイプ（１３）に接続され、インナーパイプ（17）と露出パイプ（18）が双方向接続パイプ（16）によって接続され、双方向接続パイプ（16）が液体貯留ボックスの蓋（15）に固定して取り付けられ、露出パイプ（18）が液体貯留ボックス内まで延びることを特徴とする、請求項１に記載の新型バブルマシン。